(57)【要約】      （修正有）【課題】放電路が同一平面内に２重渦巻状に旋回された蛍光ランプを有する照明器具において、薄型化することのできる照明器具を提供する。【解決手段】最外周に口金２１を有する全体丸型の蛍光ランプ２０を点灯させる点灯装置３０を、丸型の蛍光ランプ２０の外側に沿って余剰スペースに設けることにより、照明器具１０全体を大型化することなく、薄型化することができる。さらに点灯装置３０にソケット３１を設けることにより配線を無くすことができる。【選択図】図１
2009289440.tif 000002
【特許請求の範囲】
【請求項１】
最外周に口金を有する全体丸型の蛍光ランプと、この蛍光ランプを点灯させる点灯装置とを有する照明器具であって、
前記点灯装置を、前記蛍光ランプの外側に沿って丸型に設けたことを特徴とする照明器具。
【請求項２】
前記点灯装置に、前記蛍光ランプの口金を支持するソケットを設けたことを特徴とする請求項１記載の照明器具。
【請求項３】
中央部においては反射板を兼ねるとともに前記点灯装置を外周部に搭載する円板状の基板と、前記基板に取付けて前記点灯装置を覆うリング状のケースとを有し、前記ケースに前記ソケットを一体的に設けたことを特徴とする請求項１または２記載の照明器具。
【請求項４】
反射板を兼ねる円板状部材と、前記円板状部材に取付けて前記蛍光ランプの外周を覆うリング状のケースを有し、前記ケース内に前記点灯装置および前記ソケットを有することを特徴とする請求項１または２に記載の照明器具。
【請求項５】
前記ケースは、前記蛍光ランプを内包する内部空間が、照射方向に向かって拡径する断面形状であることを特徴とする請求項３または４記載の照明器具。
【発明の詳細な説明】
【技術分野】
【０００１】
本発明は、管状の放電路が長手方向中央部を中心として略同一平面に沿って２重渦巻状に旋回された蛍光ランプを有する照明器具に関するものである。
【背景技術】
【０００２】
従来より、放電路が２重渦巻状に旋回された蛍光ランプが知られている（例えば特許文献１参照）。
図７（Ａ）、（Ｂ）に示すように、特許文献１に記載の蛍光ランプ１００は、管状の放電路が長手方向中央部１０１ａを中心として略同一平面に沿って２重渦巻状に旋回された発光管１０１を有しており、裏面（発光面と反対側）において中央部１０１ａを通って発光管１０１の両端部１０１ｂ、１０１ｂを連結するブリッジ１０２が設けられている。また、ブリッジ１０２の中央部には、裏側に突出して口金１０３が設けられており、口金１０３の中央には、ランプピン１０４が設けられている。
【特許文献１】特開２００７−２７３３３０号公報（第１図）
【発明の開示】
【発明が解決しようとする課題】
【０００３】
しかしながら、前述した特許文献１に記載の蛍光ランプ１００を用いる照明器具においては、蛍光ランプ１００の発光管１０１の両端部１０１ｂ、１０１ｂを連結するブリッジ１０２が設けられているため、照明器具の高さが高くなるという問題があった。
【０００４】
本発明は、従来の問題を解決するためになされたもので、薄型化することのできる照明器具を提供することを目的とする。
【課題を解決するための手段】
【０００５】
本発明の照明器具は、最外周に口金を有する全体丸型の蛍光ランプと、この蛍光ランプを点灯させる点灯装置とを有する照明器具であって、前記点灯装置を、前記蛍光ランプの外側に沿って丸型に設けた構成を有している。
【０００６】
この構成により、最外周に口金を有する全体丸型の蛍光ランプを点灯させる点灯装置を、丸型の蛍光ランプの外側に沿って余剰スペースに設けたので、照明器具全体を大型化をすることなく、薄型化することができる。
【０００７】
また、本発明の照明器具は、前記点灯装置に、前記蛍光ランプの口金を支持するソケットを設けた構成を有している。
【０００８】
この構成により、点灯装置とソケットの間の配線を無くすことができるので、配線の手間を省くことができる。
【０００９】
また、本発明の照明器具は、中央部においては反射板を兼ねるとともに前記点灯装置を外周部に搭載する円板状の基板と、前記基板に取付けて前記点灯装置を覆うリング状のケースとを有し、前記ケースに前記ソケットを一体的に設けた構成を有している。
【００１０】
この構成により、ケースのソケットに蛍光ランプを取付け、ケースを、反射板を兼ねる基板に取付けることにより、蛍光ランプを点灯装置に接続して、照明器具を組み立てることができる。
【００１１】
また、本発明の照明器具は、反射板を兼ねる円板状部材と、前記円板状部材に取付けて前記蛍光ランプの外周を覆うリング状のケースを有し、前記ケース内に前記点灯装置および前記ソケットを有する構成を有している。
【００１２】
この構成により、ケースのソケットに蛍光ランプを取付けて点灯装置に接続し、ケースを、反射板を兼ねる基板に取付けることにより、照明器具を組み立てることができる。
【００１３】
さらに、本発明の照明器具は、前記ケースは、前記蛍光ランプを内包する内部空間が、照射方向に向かって拡径する断面形状である構成を有している。
【００１４】
この構成により、蛍光ランプから発せられた光を、広く前方に照射することができる。
【発明の効果】
【００１５】
本発明は、最外周に口金を有する全体丸型の蛍光ランプを点灯させる点灯装置を、丸型の蛍光ランプの外側に沿って余剰スペースに設けたので、照明器具全体を大型化をすることなく、薄型化することができるという効果を有する照明器具を提供することができるものである。
【発明を実施するための最良の形態】
【００１６】
以下、本発明の実施の形態の照明器具について、図面を用いて説明する。
図１は本発明の第１実施形態にかかる照明器具を示す下方から見た正面図、図２は照明器具の断面図である。
【００１７】
図１および図２に示すように、本発明の実施形態にかかる照明器具１０では、最外周に口金２１を有する全体丸型の蛍光ランプ２０と、この蛍光ランプ２０を点灯させる点灯装置３０とを有しており、点灯装置３０を、蛍光ランプ２０の外側に沿って丸型に設けた。
【００１８】
蛍光ランプ２０は、１本の発光管２２が、管中央部２２ａを中心として略一平面上で渦巻状に旋回された、二重渦巻き形状を有している。発光管２２の略対向して離れた位置にある両端部２２ｂ、２２ｂには、各々口金２１が設けられ、各口金２１からは１対のランプピン２３，２３が突出して設けられている。また、発光管２２の両端部２２ｂ、２２ｂを連結して発光管２２を支持するブリッジ２４が設けられている。
【００１９】
照明器具１０の底（図２において下側）には、円板状の基板３４が設けられており、基板３４上の外周縁に点灯装置３０が設けられている。また、基板３４において、蛍光ランプ２０の両端部の口金２１に対応する位置にはソケット３１が取付けられており、点灯装置３０に接続されている。なお、基板３４は、商用電源（図示省略）に接続されている。
【００２０】
点灯装置３０は、基板３４の外周縁に取付けられている電気部品３３と、この電気部品３３を覆うリング状のケース３２を有している。ケース３２の内周面３２ａは、蛍光ランプ２０を内包する内部空間３２ｂが、照射方向（図２において上方向）に向かって拡径するように傾斜して設けるのが望ましい。
【００２１】
従って、蛍光ランプ２０のランプピン２３をソケット３１に装着することにより、蛍光ランプ２０を照明器具１０に取付けることができる。
【００２２】
以上、説明した本発明の第１実施形態にかかる照明器具１０によれば、全体丸型の蛍光ランプ２０を点灯させる点灯装置３０を、蛍光ランプ２０の外側に沿って余剰スペースに設けたので、照明器具１０全体を大型化をすることなく、薄型化することができる。
【００２３】
また、照明器具１０を薄型化することにより、天井面を明るくし、照明器具１０によって照らす部屋等の照明空間を、全体として明るい感じにすることができる。すなわち「Ｆｅｕ値」を向上させることができる。なお、ここで、「Ｆｅｕ値」とは、照明空間を観察したときに、当該空間に対して感じられる明るさの総合評価である明るさ感覚指標の単位であり、この明るさ感覚指標は、照明認識視空間の概念における色モード境界輝度に基づいて算出され、この値が大きいほど照明空間の明るさ感が高くなり、明るく感じられる。
【００２４】
次に、本発明の第２実施形態について、図面に基づいて説明する。
図３（Ａ）は第２実施形態にかかる照明器具における点灯装置を示す平面図、図３（Ｂ）は同じく照明器具の正面図である。なお、前述した第１実施形態にかかる照明器具１０と共通する部位には同じ符号を付して、重複する説明を省略することとする。
【００２５】
図３に示すように、第２実施形態にかかる照明器具１０Ｂでは、点灯装置３０Ｂに、蛍光ランプ２０の口金２１を支持するソケット３１を設けた。
【００２６】
これにより、前述した第１実施形態と同様の作用・効果を得ることができる。さらに、点灯装置３０Ｂとソケット３１の間の配線を無くすことができるので、配線の手間およびコストを省くことができる。
【００２７】
次に、本発明の第３実施形態について、図面に基づいて説明する。
図４は第３実施形態にかかる照明器具の分解斜視図である。なお、前述した第１または第２実施形態にかかる照明器具１０、１０Ｂと共通する部位には同じ符号を付して、重複する説明を省略することとする。
【００２８】
図４に示すように、第３実施形態にかかる照明器具１０Ｃでは、中央部においては反射板を兼ねるとともに点灯装置３０を外周部に搭載する円板状の基板３４と、この基板３４に取付けて点灯装置３Ｂを覆うリング状のケース３２とを有し、ケース３２にソケット３１を一体的に設けた。
【００２９】
従って、照明器具１０Ｃを組み立てる際には、まず、蛍光ランプ２０をケース３２のソケット３１に取付け、蛍光ランプ２０を取付けたケース３２を基板３４に取付ける。これにより、ソケット３１が基板３４上の電気部品３３と接続されて、蛍光ランプ２０を点灯させる。
【００３０】
これにより、前述した第１または第２実施形態と同様の作用・効果を得ることができる。さらに、点灯装置３０Ｂとソケット３１の間の配線を無くすことができるので、配線の手間およびコストを省くことができる。
【００３１】
次に、本発明の第４実施形態について、図面に基づいて説明する。
図５は第４実施形態にかかる照明器具の分解斜視図である。なお、前述した第１〜第３実施形態にかかる照明器具１０〜１０Ｃと共通する部位には同じ符号を付して、重複する説明を省略することとする。
【００３２】
図５に示すように、第４実施形態にかかる照明器具１０Ｄでは、反射板を兼ねる円板状部材３５と、この円板状部材３５に取付けて蛍光ランプ２０の外周を覆うリング状のケース３２を有し、ケース３２内に点灯装置３０Ｂおよびソケット３１を取付けた。
【００３３】
従って、照明器具１０Ｄを組み立てる際には、まず、蛍光ランプ２０を円板状部材３５の中央部に載置し、その上からケース３２を被せることにより、蛍光ランプ２０のランプピン２３をソケット３１に取付ける。これにより、蛍光ランプ２０はソケット３１を介してケース３２内の電気部品３３と接続される。
【００３４】
これにより、前述した第１または第２実施形態と同様の作用・効果を得ることができる。さらに、点灯装置３０とソケット３１の間の配線を無くすことができるので、配線の手間およびコストを省くことができる。
【００３５】
なお、本発明の照明器具は、前述した各実施形態に限定されるものでなく、適宜な変形，改良等が可能である。
【図面の簡単な説明】
【００３６】
【図１】本発明の第１実施形態にかかる照明器具を示す下方から見た正面図
【図２】照明器具の断面図
【図３】（Ａ）は第２実施形態にかかる照明器具における点灯装置を示す平面図、（Ｂ）は同じく照明器具の正面図
【図４】第３実施形態にかかる照明器具の分解斜視図
【図５】第４実施形態にかかる照明器具の分解斜視図
【図６】従来の円形の蛍光ランプを示す斜視図であって、（Ａ）は照射方向前方から見た斜視図、（Ｂ）は照射方向と後方から見た斜視図
【符号の説明】
【００３７】
１０  照明器具
２０  蛍光ランプ
２１  口金
３０  点灯装置
３１  ソケット
３２  ケース
３４  基板
３５  円板状部材
【図１】
2009289440.tif 000003
【図２】
2009289440.tif 000004
【図３】
2009289440.tif 000005
【図４】
2009289440.tif 000006
【図５】
2009289440.tif 000007
【図６】
2009289440.tif 000008